(57)【要約】【課題】吊り手と蓋体を有する容器を梱包状態から取出すときに、吊り手と蓋体の干渉による蓋体の損傷を防止すること。【解決手段】容器１０であって、蓋体３０の天板３０Ａに連接した前板３１の外縁部３１Ｌが水平に対し交差する斜直線状で構成されるか、又は前記外縁部が水平に対し交差する円弧状等の曲線状で構成されるようにしたもの。【選択図】　図１
2004115033.tif 000002
【特許請求の範囲】
【請求項１】
容器本体に吊り手を取着するとともに、容器本体に蓋体を被着してなる容器であって、蓋体の天板に連接した外周板の外縁部が水平に対し交差する斜直線状で構成される容器、又は前記外縁部が水平に対し交差する円弧状等の曲線状で構成される容器。
【請求項２】
容器本体に吊り手を取着するとともに、容器本体に蓋体を被着してなる容器であって、蓋体の天板に連接した外周板の外縁部が水平に対し交差する斜直線状で構成される容器、又は前記外縁部が水平に対し交差する円弧状等の曲線状で構成される容器の複数個を互いに並置して梱包する容器の梱包構造。
【発明の詳細な説明】
【０００１】
【発明の属する技術分野】
本発明は粉体洗剤用等に用いて好適な容器及びその梱包方法に関する。
【０００２】
【従来の技術】
容器として、図１に示す如く、容器本体に吊り手を取着するとともに、容器本体に蓋体を被着してなるものがある。この容器の物流段階では、数個の容器を段ボール箱に互いに並置する梱包構造が採用される。
【０００３】
【発明が解決しようとする課題】
従来技術では、蓋体の天板に連接する外周板の外縁部を水平な直線状にしている。また、吊り手は細帯状をなし、その格納状態で、容器本体の背面胴板に添うように設けられ、外縁部を水平な直線状にしている。このため、段ボール箱から容器を取り出すとき、相並ぶ一方の容器を持ち上げると、当該容器の胴板に添って設けられている吊り手の外縁部が、当該容器の背面に隣接する他方の容器の蓋体の外周板の外縁部に、それらの直線状の一辺に沿う長い範囲Ａに渡って下方から突き当たり、蓋体の外周板がめくれる（図６（Ａ）のＢ）等、蓋体の損傷を生ずる虞がある。図６（Ａ）において、１は吊り手、２は蓋体、２Ｌは外縁部を示す。
【０００４】
本発明の課題は、吊り手と蓋体を有する容器を梱包状態から取出すときに、吊り手と蓋体の干渉による蓋体の損傷を防止することにある。そこで、前記突き当たりの長さ（図６（Ａ）のＡ）を短くした交差点状（図６（Ｂ）のＰ）とし、かつ該交差点Ｐが適宜移動する仕組みを講じれば前記損傷が抑制されると考え、本発明を完成した。図６（Ｂ）において、１１は吊り手、３０は蓋体、３１Ｌは外縁部を示す。
【０００５】
【課題を解決するための手段】
即ち、請求項１の発明は、容器本体に吊り手を取着するとともに、容器本体に蓋体を被着してなる容器であって、蓋体の天板に連接した外周板の外縁部が水平に対し交差する斜直線状で構成される容器、又は前記外縁部が水平に対し交差する円弧状等の曲線状で構成されるものである。
【０００６】
【発明の実施の形態】
容器１０は、図１に示す如く、容器本体２０に吊り手１１を取着するとともに、容器本体２０に蓋体３０を被着し、内容物として粉末洗剤等を収容する。
【０００７】
容器本体２０は、例えば板紙だけ、又は板紙を主材料としてポリエチレン等のプラスチックフィルムをラミネートした素材を折曲げて組立てられたものである。
【０００８】
容器本体２０は、有底四角筒体であり、底板（不図示）の四周に表面胴板２１、背面胴板２２、左右の側面胴板２３、２４を連接して備える。
【０００９】
容器本体２０は、左右の側面胴板２３、２４に固定されたリベット等の取着具１２に、細帯状のプラスチック板等からなる吊り手１１の両端部に設けた長孔１１Ａを挿着して備える。吊り手１１は格納状態で、長孔１１Ａの一方の丸孔１１Ｂ（不図示）を取着具１２に係合させ、背面胴板２２、側面胴板２３、２４に添うように設けられる。吊り手１１は使用段階では、容器本体２０から引き出され、長孔１１Ａの他方の丸孔１１Ｃを取着具１２に係合させる。
【００１０】
蓋体３０は、例えば板紙だけ、又は板紙を主材料としてポリエチレン等のプラスチックフィルムをラミネートした素材を折曲げて組立てられたものである。
【００１１】
蓋体３０は、有天四角筒体であり、図２に示す如く、天板３０Ａの四周に罫線を介して連接した外周板としての前板３１、背板３２、左右の側板３３、３４を立上げ、それらの前板３１、背板３２、側板３３、３４を該側板３３、３４の両端に設けた糊付片３３Ａ、３３Ｂ、３４Ａ、３４Ｂを介して互いに接着する。
【００１２】
蓋体３０は、背板３２の外縁中央部に罫線を介して連接したヒンジ片３５を容器本体２０の背面胴板２２に接着し、容器本体２０の開口部を開閉するように被着可能にされる。
【００１３】
蓋体３０は、前板３１の外縁中央部に罫線を介して連接した封緘片３６を容器本体２０の表面胴板２１に接着し、内容物が収容された容器本体２０の開口部を封止可能にする。
【００１４】
容器１０は、製品段階で、吊り手１１を容器本体２０の背面胴板２２、側面胴板２３、２４に添わせる格納状態にし（図１）、他の容器１０とともに段ボール箱１に並置されて梱包される（図４）。
【００１５】
複数個の容器１０の梱包状態において、相並ぶ一方の容器１０の蓋体３０における前板３１、封緘片３６に対し、当該容器の前面に隣接する他方の容器１０の吊り手１１は図１（Ａ）、図２に２点鎖線で示す如くに相対位置し、吊り手１１の上側外縁部１１Ｌが封緘片３６の高さ方向中間部を水平に横切る。このとき、容器１０は、前板３１の封緘片３６を挟む左右の外縁部３１Ｌを水平に対し交差する傾斜直線状（水平に対し交差する円弧状等の曲線状でも可）にし、封緘片３６の左右の外縁部３６Ｌも水平に対し交差する傾斜直線状（水平に対し交差する円弧状等の曲線状でも可）にしている。
【００１６】
これにより、相並ぶ一方の容器１０の蓋体３０の天板３０Ａに連接した前板３１の外縁部３１Ｌ及び封緘片３６の外縁部３６Ｌと、他方の容器１０の吊り手１１の外縁部１１Ｌとは相並んだ状態で略交差し、かつ該交差により生じる外縁部１１Ｌと外縁部３１Ｌ、３６Ｌの交差点が、他方の容器１０の持ち上げによる吊り手１１の移動に伴い外縁部３６Ｌ〜３１Ｌに沿って移動するように構成されるものになる。
【００１７】
従って、本実施形態によれば以下の作用がある。
段ボール箱１から容器１０を抜き取る如くにして取出すとき、相並ぶ一方の容器１０を持ち上げると、当該容器１０の背面胴板２２に添って設けられている吊り手１１の外縁部１１Ｌは、当該容器の背面に隣接する他方の容器１０の蓋体３０の前板３１の外縁部３１Ｌ及び封緘片３６の外縁部３６Ｌに斜めに交差し、かつ該交差により生じる外縁部１１Ｌと外縁部３１Ｌ及び３６Ｌの交点をその一方の容器１０の持ち上げによるその吊り手１１の移動に伴って移動する。このため、一方の容器１０の吊り手１１の外縁部１１Ｌが他方の容器１０の蓋体３０の前板３１の外縁部３１Ｌ及び封緘片３６の外縁部３６Ｌに線状をなす長い範囲に渡って下方から突き当たることがない。吊り手１１は蓋体３０の封緘片３６及び前板３１の表面状を滑る如くに通過し、吊り手１１と蓋体３０の干渉による蓋体３０の損傷を生じない（図５（Ａ））。図５（Ｂ）は、従来の容器（蓋体３０の前板３１の外縁部３１Ｌが水平直線状をなすもの）において、吊り手１１と蓋体３０の干渉により蓋体３０の前板３１がめくれた損傷の発生を示す。
【００１８】
図３の容器１０が図１の容器１０と異なる点は、封緘片３６の全外縁部３６Ａを水平に対し交差する円弧状等の曲線状にしたこと（水平に対し交差するＶ字状等の傾斜直線状でも可）にある。これによれば、複数個の容器１０の梱包状態において、相並ぶ他方の容器１０の吊り手１１の外縁部１１Ｌが、封緘片３６より下方レベルに位置する場合にも、該容器１０の持ち上げによる吊り手１１の移動の全行程で、吊り手１１（外縁部１１Ｌ）と蓋体３０（外縁部３６Ａ、３１Ｌ）の干渉を生じない。
【００１９】
本発明の実施において、蓋体と容器本体は、１部材から構成される容器であっても良い。
【００２０】
【発明の効果】
本発明によれば、吊り手と蓋体を有する容器を梱包状態から取出すときに、吊り手と蓋体の干渉による蓋体の損傷を防止することができる。
【図面の簡単な説明】
【図１】図１は容器を示す模式図である。
【図２】図２は容器の蓋体を示す展開図である。
【図３】図３は容器の変形例を示す模式図である。
【図４】図４は容器の梱包構造を示す模式図である。
【図５】図５は蓋体の損傷の有無を示す模式図である。
【図６】図６は従来技術と本発明による蓋体と吊り手の干渉の有無を示す模式図である。
【符号の説明】
１０　容器
１１　吊り手
１１Ｌ　外縁部
２０　容器本体
３０　蓋体
３０Ａ　天板
３１　前板（外周板）
３１Ｌ　外縁部
【図１】
2004115033.tif 000003
【図２】
2004115033.tif 000004
【図３】
2004115033.tif 000005
【図４】
2004115033.tif 000006
【図５】
2004115033.tif 000007
【図６】
2004115033.tif 000008